(57)【要約】【課題】放射の最大化を実現する移動端末装置を提供する。【解決手段】デュアル周波数アンテナ１１、互いに積層して設けられる液晶スクリーン１２、金属バックケース１３、及びプリント回路基板１５を備える。金属バックケース１３は、プラスチック溝を更に備え、デュアル周波数アンテナ１１は、ノッチ支持構造117を有し、ノッチ支持構造117は、互いに接続されるノッチ構造11711と支持構造11713とを有する。デュアル周波数アンテナ１１はノッチ構造11711の上ピン11713を介してプリント回路基板１５の頂部に接続され、デュアル周波数アンテナ１１はノッチ構造11711の下ピン11715を介してプリント回路基板１５の底部に接続され、ノッチ構造11711は金属バックケース１３のプラスチック溝131にアライメントされる。【選択図】図１
2017034649.tif 000002
【特許請求の範囲】
【請求項１】
全金属ケースのスマートフォンである移動端末装置であって、
デュアル周波数アンテナ、互いに積層して設けられる液晶スクリーン、金属バックケース、及びプリント回路基板を備え、
前記金属バックケースは、プラスチック溝を更に備え、
前記プリント回路基板には、プラスチック溝に対向するノッチが設けられ、
前記デュアル周波数アンテナは、前記ノッチ内に挿入され、プラスチック溝にアライメントされる本体部、それぞれ前記本体部の上、下の両端から屈曲して延在する上ピン、及び下ピンを含むノッチ構造と、一端が前記ノッチ構造に接続され、他端が金属バックケースから離れる方向に延在すると共に液晶スクリーンに貼設される、前記ノッチ構造と互いに接続される支持構造とを有するノッチ支持構造を備え、
前記デュアル周波数アンテナは、前記上ピンを介して前記プリント回路基板の頂部に接続され、前記デュアル周波数アンテナは、前記下ピンを介して前記プリント回路基板の底部に接続されている、
ことを特徴とする移動端末装置。
【請求項２】
前記本体部は、前記液晶スクリーンに垂直に設けられ、プラスチック充填物によって充填されてプラスチック溝に固定され、前記給電端は、前記ノッチ構造の上ピンに設けられ、前記接地端は、前記ノッチ構造の下ピンに設けられる
ことを特徴とする請求項１に記載の移動端末装置。
【請求項３】
前記プラスチック溝内は、ＡＢＳ樹脂又はＰＣ−ＡＢＳ樹脂を採用して充填されている
ことを特徴とする請求項２に記載の移動端末装置。
【請求項４】
前記デュアル周波数アンテナは、２４００−２５００ｍｈｚ、又は５１５０−５８５０ｍｈｚの周波数の帯域において動作する
ことを特徴とする請求項１に記載の移動端末装置。
【請求項５】
前記給電端は、前記プリント回路基板の頂部を介して前記金属バックケースに接続され、前記接地端は、前記プリント回路基板の底部を介して前記金属バックケースに接続されている
ことを特徴とする請求項２に記載の移動端末装置。
【請求項６】
前記プリント回路基板は、多層構造であり、前記上ピン及び下ピンはそれぞれ異なるプリント回路基板に接続されている
ことを特徴とする請求項５に記載の移動端末装置。
【請求項７】
前記プリント回路基板には、前記ノッチ構造に沿って延在する接地隙間が設けられている
ことを特徴とする請求項１に記載の移動端末装置。
【請求項８】
前記接地隙間の長さの値は７ｍｍである
ことを特徴とする請求項７に記載の移動端末装置。
【発明の詳細な説明】
【技術分野】
【０００１】
本発明は、移動端末分野に関する。さらに詳しくは、デュアル周波数アンテナを採用した移動端末装置に関する。
【背景技術】
【０００２】
多数の携帯電話のアンテナとして、従来からずっと伝統的なＰＩＦＡアンテナの設計方案が採用されてきた。現在、市場において投入された携帯電話はアンテナが内蔵されたものであり、その中の６０％〜８０％の携帯電話には全てこのようなアンテナ設計が採用されている。ＰＩＦＡアンテナは、アンテナ全体の形状が逆に書かれたアルファベットＦのようなものであるため得られた平面逆Ｆ形アンテナである。
【０００３】
ＰＩＦＡアンテナの基本的な構造は、１つの平面放射手段を採用して放射体とすると共に、１つの大きい地面を反射面とし、放射体には、それぞれ接地及び給電に用いられる互いに近づく二つのピンがあり、実に動作する際に、アンテナは携帯電話に実装され、携帯電話のマザーボードの地面をアンテナの参考地とする。
それにはサイズの小さく、重量が軽く、断面が低く、コストが低く、機械強度が良く、周波数帯域が幅広く、効率が高く、利得が高く、周辺環境から受けられる影響が小さく、人に対する放射損害が小さく、周波数の被覆の広いことなどの一連のメリットがある。
【発明の概要】
【発明が解決しようとする課題】
【０００４】
科学の進歩に伴い、携帯電話の外観設計も、より美しく、優雅に見られるように、廉価的なプラスチックケースから全金属ケースへアップグレートされた。金属の設計は偉大な設計であるが、完全に封止される金属ケースがアンテナの放射を行うことができないため、それはアンテナエンジニアにとって挑戦になっている。
【０００５】
前記アンテナが全金属ケースの設計によって信号が弱くなり、美観に影響するという技術課題を解決するために、本発明は、信号が強く、美観に影響しないデュアル周波数アンテナを提供することを目的とする。
【課題を解決するための手段】
【０００６】
第１発明の移動端末装置は、全金属ケースのスマートフォンである移動端末装置であって、デュアル周波数アンテナ、互いに積層して設けられる液晶スクリーン、金属バックケース、及びプリント回路基板を備え、前記金属バックケースは、プラスチック溝を更に備え、前記プリント回路基板には、プラスチック溝に対向するノッチが設けられ、前記デュアル周波数アンテナは、前記ノッチ内に挿入され、プラスチック溝にアライメントされる本体部、それぞれ前記本体部の上、下の両端から屈曲して延在する上ピン、及び下ピンを含むノッチ構造と、一端が前記ノッチ構造に接続され、他端が金属バックケースから離れる方向に延在すると共に液晶スクリーンに貼設される、前記ノッチ構造と互いに接続される支持構造とを有するノッチ支持構造を備え、前記デュアル周波数アンテナは、前記上ピンを介して前記プリント回路基板の頂部に接続され、前記デュアル周波数アンテナは、前記下ピンを介して前記プリント回路基板の底部に接続されている、ことを特徴とする移動端末装置を提供している。
【０００７】
第２発明の移動端末装置は第１発明において、前記本体部は、前記液晶スクリーンに垂直に設けられ、プラスチック充填物によって充填されてプラスチック溝に固定され、前記給電端は、前記ノッチ構造の上ピンに設けられ、前記接地端は、前記ノッチ構造の下ピンに設けられることを特徴とする。
【０００８】
第３発明の移動端末装置は第２発明において、前記プラスチック溝内は、ＡＢＳ樹脂又はＰＣ−ＡＢＳ樹脂を採用して充填されることを特徴とする。
【０００９】
第４発明の移動端末装置は第１発明において、前記デュアル周波数アンテナは、２４００−２５００ｍｈｚ、又は５１５０−５８５０ｍｈｚの周波数の帯域において動作することを特徴とする。
【００１０】
第５発明の移動端末装置は第２発明において、前記給電端は、前記プリント回路基板の頂部を介して前記金属バックケースに接続され、前記接地端は、前記プリント回路基板の底部を介して前記金属バックケースに接続されることを特徴とする。
【００１１】
第６発明の移動端末装置は第５発明において、前記プリント回路基板は、多層構造であり、前記上ピン及び下ピンはそれぞれ異なるプリント回路基板に接続されていることを特徴とする。
【００１２】
第７発明の移動端末装置は第１発明において、前記プリント回路基板には、前記ノッチ構造に沿って延在する接地隙間が設けられることを特徴とする。
【００１３】
第８発明の移動端末装置は第７発明において、前記接地隙間の長さの値は７ｍｍであることを特徴とする。
【発明の効果】
【００１４】
本発明に係わる移動端末装置は、従来技術に対して、以下の有益な効果を有する。
１．ノッチ構造を金属バックケースのプラスチック溝にアライメントさせることによって、封止される金属ケースがアンテナの放射を行うことができないという課題を解決し、放射の最大化を実現する。
２．デュアル周波数動作によって、アンテナの被覆する範囲をより幅広くさせる。
３．ＡＢＳ樹脂又はＰＣ−ＡＢＳ樹脂を採用して、金属バックケース上のプラスチック溝を充填することによって、アンテナの衝撃抵抗性、耐熱性及び低温抵抗性をより高める。
４．放射体を移動端末装置の液晶スクリーンの周辺に外接するように延在させることで、デュアル周波数アンテナは信号をより良く受信することができる。
【図面の簡単な説明】
【００１５】
【図１】本発明に係る移動端末装置の一つの実施例の構造を示す模式図である。
【図２】図１に示すデュアル周波数アンテナのノッチ支持構造を示す模式図である。
【図３】図２に示すノッチ支持構造と移動端末装置の構造の組み合わせ図である。
【図４】本発明に係る移動端末の分解模式図である。
【図５】本発明に係るデュアル周波数アンテナのエコー損失図である。
【図６】本発明に係るデュアル周波数アンテナの２４００−２５００ｍｈｚ周波数帯域のアナログ測定効率図である。
【図７】本発明に係るデュアル周波数アンテナの５１５０−５８５０ｍｈｚ周波数帯域のアナログ測定効率図である。
【発明を実施するための形態】
【００１６】
以下、本発明の実施例における技術案をはっきり、完全に記述する。以下に記述される実施例は、本発明の一部の実施例に過ぎず、全部の実施例ではない。本発明の実施例に基づき、当業者が進歩性に値する労働を要さずに得られる全ての他の実施例は、いずれも本発明の保護範囲に属する。
【００１７】
図１〜図４を参照すると、図１は、本発明に係る移動端末装置の一つの実施例の構造の模式図であり、図２は、図１に示すデュアル周波数アンテナのノッチ支持構造の模式図であり、図３は、図２に示すノッチ支持構造と移動端末装置の構造の組み合わせ図であり、図４は、携帯電話の分解模式図である。そこで、図に示されるＡは、図１に示す移動端末装置の一部である。前記移動端末装置１は、全金属ケースのスマートフォンであり、デュアル周波数アンテナ１１、互いに積層して設けられた液晶スクリーン１２、金属バックケース１３、及びプリント回路基板１５を備える。前記金属バックケース１３には、１つのプラスチック溝131が設けられ、対応的に、前記プリント回路基板１５にはそれと整合するように連通するノッチ151が設けられている。
【００１８】
そこで、前記デュアル周波数アンテナ１１は、全金属ケースのスマートフォンに適用され、放射体111、給電点113、接地点115及びノッチ支持構造117を備える。前記金属バックケース１３の全体又は一部は、前記デュアル周波数アンテナの放射体とされる。
【００１９】
前記ノッチ支持構造117は、互いに接続されるノッチ構造11711及び支持構造11713を備える。前記ノッチ構造11711は、前記ノッチ151内に挿入され、プラスチック溝にアライメントされる本体部11711、それぞれ本体部の上、下の両端から屈曲して延在する上ピン11713、及び下ピン11715を含み、前記支持構造11713の一端は、ノッチ構造11711に接続され、他端は金属バックケース１３から離れる方向に延在すると共に液晶スクリーン１２に貼設され、前記デュアル周波数アンテナは前記上ピン11711を介して前記プリント回路基板の頂部に接続され、前記デュアル周波数アンテナは前記下ピンを介して前記プリント回路基板の底部に接続される。前記デュアル周波数アンテナ１１は２４００−２５００ｍｈｚ、又は５１５０−５８５０ｍｈｚの周波数範囲内で動作する。
【００２０】
前記プリント回路基板１５は単一層の構造に限らず、選択し得る他の実施形態において、多層構造であってもよく、その中、前記上ピン、下ピンはそれぞれ異なるプリント回路基板に接続される。このようにしても実施できる。上、下の両層を有するために、前記上ピン11713が上層プリント回路基板に接続され、前記下ピン11715が下層プリント回路基板に接続されていることが好ましい。
【００２１】
前記ノッチ構造の本体部11711は、前記液晶スクリーン１２に垂直に設けられ、プラスチック充填物によって充填されて、プラスチック溝に固定される。前記プラスチック溝内は、ＡＢＳ樹脂又はＰＣ−ＡＢＳ樹脂を採用して充填される。
【００２２】
前記放射体111の一部は、携帯電話の液晶スクリーンの周辺に外接するように延在している。接地点115は、携帯電話のバックケース及び携帯電話の側部にそれぞれ位置する。
【００２３】
前記ノッチ構造の上ピン11713は給電点113に接続され、前記プリント回路基板１５の頂部を介して前記放射体111に接続される。
【００２４】
前記ノッチ構造の下ピン11715は接地点115に接続され、前記プリント回路基板の底部を介して前記放射体111に接続される。
【００２５】
前記プリント回路基板１５には、接地隙間150が更に含まれており、前記接地隙間は前記ノッチ構造1171に沿って延在され、その長さの値は７ｍｍである。
【００２６】
１つのアナログされたスマートフォンを介して、デュアル周波数ＷｉＦｉアンテナのエコー損及び効率を測定し、その結果は図５、図６、及び図７に示される。図から見られるように、前記デュアル周波数アンテナ１は、２４００−２５００ｍｈｚの周波数帯域での効率が４０％より大きく、５１５０−５８５０ｍｈｚの周波数帯域での効率が３５％より大きい。
【００２７】
従来技術と比べると、本発明に係わる移動端末装置1及びデュアル周波数アンテナ１１は、以下の有益な効果を有する。
１．ノッチ構造1171を金属バックケース１３のプラスチック溝131にアライメントさせることによって、封止される金属ケースがアンテナの放射を行うことができないという課題を解決し、放射の最大化を実現する。
２．デュアル周波数の動作によって、アンテナ１１の被覆する範囲をより幅広くさせる。
３．ＡＢＳ樹脂又はＰＣ−ＡＢＳ樹脂を採用して、金属バックケース１３上のプラスチック溝を充填することによって、アンテナ１１の衝撃抵抗性、耐熱性及び低温抵抗性をより高める。
４．放射体111を移動端末装置１の液晶スクリーンの周辺に外接するように延在することによって、デュアル周波数アンテナ１１は信号をより良く受信することができる。
【００２８】
また、その体積の小さい特徴は、現在のスマートフォンの美的要求にも合う。
【００２９】
上記に説明したのは、本発明の実施形態に過ぎず、本発明の特許請求の範囲を限定するものではない。本発明の明細書及び図面の内容に基づいて作れる等価構造又は等価工程変換、あるいは他の関連技術分野における直接又は間接適用は、全て同様に本発明の特許請求の範囲内に含まれる。
【符号の説明】
【００３０】
１１  アンテナ
１３  金属バックケース
117  ノッチ支持構造
111  放射体
113  給電点
115  接地点
1171  ノッチ構造
【図１】
2017034649.tif 000003
【図２】
2017034649.tif 000004
【図３】
2017034649.tif 000005
【図４】
2017034649.tif 000006
【図５】
2017034649.tif 000007
【図６】
2017034649.tif 000008
【図７】
2017034649.tif 000009